(57)【要約】【課題】扉に閉じ阻止用の突出ピンを設けずに、ロッカ内に収容物のある時にのみスムーズ且つ確実に施錠させる。【解決手段】ロッカ１の収容室２の底側に受け板３を昇降自在に設け、受け板に施錠阻止板５を接続して昇降自在に設け、収容室の側方で施錠阻止板を上下方向スライド自在に配置してばね部材８で上向きに付勢し、収容室に収容物９を入れない状態で、施錠阻止板がばね付勢のもとで錠装置１３のデッドボルト１４の進路を塞ぐようにした。受け板３にピン２３を水平に突設し、ピンを施錠阻止板５の水平な支持面１２ａで支持した。ばね部材８で施錠阻止板５を直接上向きに付勢した。【選択図】図１
2008240333.tif 000002
【特許請求の範囲】
【請求項１】
ロッカの収容室の底側に受け板が昇降自在に設けられ、該受け板に施錠阻止板が接続して昇降自在に設けられ、該収容室の側方で該施錠阻止板が上下方向スライド自在に配置されてばね部材で上向きに付勢され、該収容室に収容物を入れない状態で、該施錠阻止板が該付勢のもとで錠装置のデッドボルトの進路を塞ぐことを特徴とするロッカの施錠阻止機構。
【請求項２】
前記受け板にピンが水平に突設され、該ピンが前記施錠阻止板の水平な支持面で支持されたことを特徴とする請求項１記載のロッカの施錠阻止機構。
【請求項３】
前記ばね部材が前記施錠阻止板を直接上向きに付勢したことを特徴とする請求項１又は２記載のロッカの施錠阻止機構。
【請求項４】
前記受け板の下側で該受け板の前壁の内側において前記収容室の底側に内壁が立設され、該前壁に使用中、該内壁に未使用を意味する表示部がそれぞれ設けられ、前記扉に該表示部を表示する窓が設けられたことを特徴とする請求項１〜３の何れかに記載のロッカの施錠阻止機構。
【発明の詳細な説明】
【技術分野】
【０００１】
本発明は、ロッカ内に靴等の収容部を収容した場合にのみ、扉を閉めて施錠することのできるロッカの施錠阻止機構に関するものである。
【背景技術】
【０００２】
図５〜図７は、従来のロッカの施錠阻止機構の一形態を示すものである（特許文献１参照）。
【０００３】
このロッカの施錠阻止機構は、遊技場等のシューズロッカ５１に適用され、ロッカ５１の収容室５２の底側の受け板５３がばね５４で上向きに付勢されてヒンジ５５を支点に上下方向可動となっており、靴（図示せず）をロッカ内に収納した時のみに、扉５６を閉めてシリンダ錠５７を施錠してキー５８を抜き取ることができるようになっている。
【０００４】
扉５６には内向きの突出ピン５９が設けられており、図６の如く、靴を入れない状態では、受け板５３がばね５４の力で上昇しており、扉５６を閉めようとしても、突出ピン５９が受け板５３の前端に突き当たって、扉５６を閉めることができない。靴を入れれば、靴の自重で受け板５３が下がり、突出ピン５９との突き当たりが解除されて、扉５６を閉めることができる。図６で符号６０は受け板５３の上昇位置規定用のストッパである。
【０００５】
シリンダ錠５７を含む錠装置６１はロッカ５１の枠壁６２に設けられている。錠装置６１には、扉５６の先端の突板６３で押されて引っ込むキー操作阻止板６４が設けられている。
【０００６】
図７の如く、扉５６を開けた状態で阻止板６４が突出し、キー５８を施錠方向に回そうとしても、シリンダ錠５７の回転板６５が阻止板６４に突き当たって施錠が行えず、扉５６を閉じると、阻止板６４が引っ込んで回転板６５との干渉が解除され、施錠可能となる。
【０００７】
キー５８は扉５６を開けた状態では抜けず、扉５６を閉じて施錠して初めて抜けるようになっている。例えばキー５８の溝（図示せず）にシリンダ錠５７の突起（図示せず）が進入してキー５８の抜けが阻止され、キー５８の施錠方向の回動でキー５８の溝とシリンダ錠５７の突起との係合が解除されてキー５８の抜けが許容される。
【０００８】
上記以外の従来のロッカの施錠阻止機構として、例えば特許文献２に記載されたものが挙げられる（図示せず）。
【０００９】
このロッカの施錠阻止機構は、同じくプール等のシューズロッカに適用され、靴をロッカに入れて施錠し、キーを抜き取って、キーを飲食物等の仮支払い用にも使用するシステムにおいて、ロッカの収容室の底側の受け板をばねで上向きに傾動させ、靴を入れると、受け板に連結された阻止レバーが回動（揺動）して掛止片による扉の施錠を許容するものである。
【００１０】
このロッカの施錠阻止機構においても、施錠時にのみキーの抜き差しが可能な掛け忘れ防止型の錠装置が採用され、例えばシリンダ内のロータに多数のタンブラを半径方向に摺動するように設けたシリンダ錠において、そのシリンダ内面に軸線方向のタンブラ受け溝が施錠位置に限定して形成されている。
【特許文献１】実公平６−３６２０５号公報（図３，図６）
【特許文献２】実開昭６３−８８１３６号公報（図５）
【発明の開示】
【発明が解決しようとする課題】
【００１１】
しかしながら、上記従来の特許文献１に記載されたロッカの施錠阻止機構においては、ロッカ５１の受け板５３に突き当たる突出ピン５９を扉５６に設ける関係で、扉５６の構造が複雑化すると共に、靴を入れないで扉５６を強く閉めた際に突出ピン５９が受け板５３に強く突き当たって故障の原因となり兼ねないという懸念があった。
【００１２】
また、上記従来の特許文献２に記載されたロッカの施錠阻止機構においては、ロッカの受け板に阻止レバーが軸部で揺動自在に連結されている関係で、繰り返しの使用によって阻止レバーの動きがスムーズに行われなくなるという懸念があった。
【００１３】
本発明は、上記した点に鑑み、扉に閉じ阻止用の突出ピンを設ける必要がなく、また、ロッカ内に収容物を入れて施解錠する操作を経年的に繰り返し行っても、収容物のある時にのみスムーズ且つ確実に施錠することのできるロッカの施錠阻止機構を提供することを目的とする。
【課題を解決するための手段】
【００１４】
上記目的を達成するために、本発明の請求項１に係るロッカの施錠阻止機構は、ロッカの収容室の底側に受け板が昇降自在に設けられ、該受け板に施錠阻止板が接続して昇降自在に設けられ、該収容室の側方で該施錠阻止板が上下方向スライド自在に配置されてばね部材で上向きに付勢され、該収容室に収容物を入れない状態で、該施錠阻止板が該付勢のもとで錠装置のデッドボルトの進路を塞ぐことを特徴とする。
【００１５】
上記構成により、ロッカ内に収容物を入れないで扉を閉めて施錠しようとしても、施錠阻止板がばね部材の力で垂直に上昇してデッドボルトの進路を塞いでいるから、錠装置のキーを施錠方向に回そうとしても、デッドボルトが施錠阻止板に当接して、キーを回すことができない。ロッカ内に収容物を入れると、その重みで受け板がばね部材の付勢力に抗して下降し、施錠阻止板が受け板と一体に垂直に下降して、デッドボルトの進路から外れるので、施錠が可能となる。従来同様に、キーは施錠しないと抜けない仕組みであり、扉を閉めないとキーを施錠方向に回せない仕組みである。
【００１６】
請求項２に係るロッカの施錠阻止機構は、請求項１記載のロッカの施錠阻止機構において、前記受け板にピンが水平に突設され、該ピンが前記施錠阻止板の水平な支持面で支持されたことを特徴とする。
【００１７】
上記構成により、ロッカ内に収容物を入れない状態で、施錠阻止板がばね部材で上向きに付勢されつつ、施錠阻止板の水平な支持面がピンを持ち上げて受け板をピンと一体に上昇させる。ロッカ内に収容物を入れると、受け板が沈み、受け板と一体のピンが施錠阻止板の水平な支持面を下向きに押して施錠阻止板を下降させる。施錠阻止板の上昇でデッドボルトの進路が塞がれ、施錠阻止板の下降でデッドボルトの進路が開かれる。
【００１８】
請求項３に係るロッカの施錠阻止機構は、請求項１又は２記載のロッカの施錠阻止機構において、前記ばね部材が前記施錠阻止板を直接上向きに付勢したことを特徴とする。
【００１９】
上記構成により、ロッカ内に収容物を入れない状態で、施錠阻止板がばね部材で直接上向きに付勢されて確実にデッドボルトの進路を塞ぐ。施錠阻止板がばね付勢でタイムラグなく迅速に上昇する。
【００２０】
請求項４に係るロッカの施錠阻止機構は、請求項１〜３の何れかに記載のロッカの施錠阻止機構において、前記受け板の下側で該受け板の前壁の内側において前記収容室の底側に内壁が立設され、該前壁に使用中、該内壁に未使用を意味する表示部がそれぞれ設けられ、前記扉に該表示部を表示する窓が設けられたことを特徴とする。
【００２１】
上記構成により、ロッカ内に収容物を入れない状態で、受け板が上昇し、上側に前壁の表示部、下側に内壁の表示部が上下に並んで位置し、扉の窓に下側の内壁の未使用の表示部が表示される。ロッカ内に収容物を入れた状態で、受け板が下降し、前壁の内側に内壁が位置し、両表示部が前後に並んで位置し、扉の窓に前壁の使用中の表示部が表示される。使用中、未使用は色別表示であってもよい。
【発明の効果】
【００２２】
請求項１記載の発明によれば、デッドボルトの施錠方向移動を施錠阻止板が直接阻止するので、従来のように扉に閉止阻止用の突起を設ける必要がなく、扉の構造が簡素化されると共に、扉を強く閉めた際の突起と受け板との干渉による故障等の心配がない。また、施錠阻止板が回動や揺動することなく直線的に上下方向に移動するから、長期間の使用によっても施錠阻止の信頼性が確保される。
【００２３】
請求項２記載の発明によれば、受け板の昇降に伴ってピンが施錠阻止板の水平な支持面に沿って摺動することで、施錠阻止板を垂直に昇降させることができ、これにより、施錠阻止板を回動や揺動させることなく直線的に上下方向に移動させて、長期間の使用によっても施錠阻止の信頼性を確保することができる。
【００２４】
請求項３記載の発明によれば、受け板が上昇すると同時に施錠阻止板がタイムラグなく迅速に上昇するから、施錠阻止が確実に行われると共に、収容物を入れないで施錠しようとする不正が確実に防止される。
【００２５】
請求項４記載の発明によれば、昇降する受け板を利用して、簡単且つ確実且つ低コストでロッカの使用の有無を利用者に表示することができる。
【発明を実施するための最良の形態】
【００２６】
図１〜図４は、本発明に係るロッカの施錠阻止機構の一実施形態を示すものである。各図においては扉を外した状態でロッカ内部を示している。
【００２７】
このロッカの施錠阻止機構は、シューズロッカ１に適用され、ロッカ（ロッカ装置）１の収容室２の底側の受け板３を後端側のヒンジ軸４で上下方向回動自在に設け、受け板３の前端側に側面視略Ｌ字状の施錠阻止板５を接続して設け、収容室２の側壁（側板）６に垂直なガイド部７を設け、施錠阻止板５をガイド部７に上下方向スライド自在に係合させ、施錠阻止板５を引張コイルばね（ばね部材）８で上向きに付勢し、図１，図２のロッカ内に靴（収容物）９の入っていない状態で、施錠阻止板５の水平方向に屈曲された先端部（上端部ないし上板部）１０で錠装置１３のデッドボルト１４の進路（突出経路）を遮って、施錠を阻止し、図３，図４の靴９の入った状態で、施錠阻止板５の先端部１０をデッドボルト（施錠杆ないしタング）１４の進路から外して、施錠を許容したものである。
【００２８】
図１，図２の如く、受け板３は、水平方向の広い主板部１５と、左右の垂直な低い側板部１６と、前側の低い前板部（前壁）１７とで構成されている。受け板３の下に水平な台板（隔壁）１８が位置し、台板１８に垂直な低い左右の側板部１９と前板部（内壁）２０とが立設され、台板１８の側板部１９と前板部２０は受け板３の側板部１６と前板部１７の内側に収容され、受け板３の側板部１６が台板１８の両側板部１９にヒンジ軸４で上下方向回動自在に支持されている。
【００２９】
図３，図４の如く、靴９を収容した際に、受け板３が引張コイルばね８の付勢力に抗して靴９の自重でヒンジ軸４を支点に下向きに回動して下降し、台板１８の前板部２０は受け板３の前板部１７の内側に隠れる。
【００３０】
本例においては、この構造を利用して、受け板３の前板部１７に「使用中」等の文字ないし記号又は赤色等の識別色の表示部２１を施し、台板１８の前板部２０に「未使用」等の文字ないし記号又は青色等の識別色の表示部２２を施している。扉（図示せず）には、台板１８の前板部２０の表示部２２に対向して表示部２２と同じ大きさの窓部やその透明カバー（図示せず）が設けられる。図２のロッカ未使用時に窓部に台板１８の表示部２２が表示され、図４のロッカ使用時に窓部に受け板３の表示部２１が表示される。
【００３１】
図１，図２の如く、受け板３の一側壁１６の先端側に水平な円柱状のピン２３が突設され、ピン２３は施錠阻止板５の屈曲された水平な下端部（下板部）１２の上面（支持面）１２ａに載置されている。ピン２３は下板部１２に固定されておらず、下板部１２の上面１２ａに載っているのみである。
【００３２】
施錠阻止板５は、垂直な長板部１１と、長板部１１の上端側で長板部１１の板幅方向に直交して前向きに突出した水平な上板部１０と、長板部１１の下端側で長板部１１の板厚方向に直交して横向きに突出した水平な下板部１２とで構成されている。
【００３３】
長板部１１と上板部１０はロッカ１の収容室２の側壁６の表面に沿って上下方向スライド自在に接している。収容室２の側壁６の表面に横断面略Ｌ字状と逆Ｌ字状の一対の対称なガイド部７が突設されている。各ガイド部７は、側壁６の表面に直交した支持板部７ａと、支持板部７ａに直交して側壁６の表面と平行に位置する受け板部７ｂとで構成され、各支持板部７ａの内面に長板部１１の両側端面１１ａがスライド自在に接し、各受け板部７ｂの内面に長板部１１の表面（符号１１で代用）がスライド自在に接している。
【００３４】
各ガイド部７は収容室２の側板６から一体に切り起こし形成してもよく、別体のものを側板６にねじ等で固定してもよい。各ガイド部７の内側の溝７ｃに長板部１１の両側部１１ａがスライド自在に係合し、施錠阻止板５が両ガイド部７に沿って上下（垂直）方向にスムーズにスライド自在に支持されている。
【００３５】
受け板３の前端側の断面円形のピン２３を施錠阻止板５の水平な下板部１２の上面１２ａで支持したことで、後端側のヒンジ軸４を支点とした受け板３の上下方向の回動によっても、ピン２３が下板部１２の上面１２ａで周方向に少し回動しつつ、施錠阻止板５が何ら回動や揺動することなく、垂直に上下移動する。
【００３６】
施錠阻止板５の長板部１１の長手方向中間部には長孔２４が設けられ、ロッカ１の収容室２の側壁６から突出した突起２５が長孔２４を貫通して突出し、長孔２４は突起２５に沿ってスライド自在であり、長孔２４の下側において長板部１１に突起２６が設けられ、両突起２５，２６に引張コイルばね８の上下の各端部８ａ，８ｂが引っ掛けられて、施錠阻止板５が引張コイルばね８の弾性力で上向きに付勢され、施錠阻止板５の下板部１２が受け板３のピン部２３を受け板３と一体に持ち上げている。引張コイルばね８はばね力で圧縮されている。
【００３７】
突起２５が長孔２４の下端２４ａに当接することで、施錠阻止板５の上昇端位置が規定され、それ以上の上昇が阻止されている。施錠阻止板５の上昇端位置で上板部１０の先端部分が錠装置１３のデッドボルト１４の進路を塞ぎ、デッドボルト１４の突出すなわち施錠を阻止している。
【００３８】
図３，図４の如く、ロッカ内に靴９を入れることで、受け板３が靴９の重みで下がり、受け板３の前端側のピン２３が施錠阻止板５の下板部１２を下向きに押すことで、施錠阻止板５が引張コイルばね８の力に抗して受け板３と一体に下降する。引張コイルばね８は伸長する。引張コイルばね８の力は靴９の重さよりも十分小さく設定されている。施錠阻止板５が下降することで、上板部１０がデッドボルト１４から下方に離れて、デッドボルト１４の進路が確保され、扉を閉めた状態で錠装置１３のシリンダ錠２７のキー２８を回すことで、デッドボルト１４が突出して扉の凹部（図示せず）に進入係合して施錠する。
【００３９】
錠装置１３には、従来（図７）と同様に扉が閉じないとキー２８を回せない機構が設けられている。図４で符号２９はキー操作阻止レバーの外側突出部分を示している。また、シリンダ錠２７には、従来と同様に施錠しないとキー２８が抜けない機構が設けられている。図４で、符号３０はコイル投入口、３１はコイン返却口である。
【００４０】
上記実施形態によれば、受け板３が上下に回動しても、施錠阻止板５がガイド部７に沿って上下方向に垂直に移動するから、長年に渡る繰り返しの施解錠動作によっても、施錠阻止板５によるデッドボルト１４の突出阻止が位置ずれなくスムーズ且つ確実に行われ、施錠阻止の信頼性が向上する。また、引張コイルばね８を施錠阻止板５に沿って配置したことで、引張コイルばね８の組付作業や交換作業等が容易化する。
【００４１】
また、受け板３と台板１８とに設けた表示部２１，２２によって受け板３の位置すなわち靴９が収容されているか否かを管理者が目視で容易に確認することができる。表示部２１，２２には何ら電気的接続が不要であるので、構造が簡単で故障の心配がなく安価である。
【００４２】
なお、上記実施形態においては、引張コイルばね８を用いたが、弾性部材として引張コイルばね８に代えて、圧縮コイルばねや板ばね等を施錠阻止板５の下板部１２の下側に配置することも可能である。従来のように、ばねを受け板３の下側に配置する場合には、例えば施錠阻止板５の下板部１２に垂直な板部（図示せず）を立上げ、その板部に受け板３のピン２３を挿入する水平な長孔（図示せず）を設ける。ピン２３を挿入する水平な長孔は、引張コイルばね８を用いた場合でも適用可能である。
【００４３】
また、ガイド部７を排除して、例えば矩形状のピン２３に施錠阻止板５の下板部１２を保持ないし固定させることも可能である。この場合、受け板３の回動に伴って施錠阻止板５をなるべく垂直に昇降させるようにすることが好ましい。施錠阻止板５が受け板３と一体に回動した場合でも、施錠阻止板５の上板部１０がデッドボルト１４の進路を塞ぐ配置になっていれば、ガイド部７がなくとも何ら問題はない。
【００４４】
また、上記実施形態においては、施錠阻止板５や引張コイルばね８を収容室２内に露出させたように説明したが、これら施錠阻止板５や引張コイルばね８をカバー（図示せず）で覆ったり、垂直な隔壁（図示せず）で収容室２とは区画した空間内に配置したりすることが好ましい。
【００４５】
また、上記実施形態においては、ロッカ内に靴９を収容したが、収容物として靴９に代えて鞄やリュックや貴重品等を収容する場合にも、上記施錠阻止機構を適用可能である。
【図面の簡単な説明】
【００４６】
【図１】本発明に係るロッカの施錠阻止機構の一実施形態を示す収容物を入れない状態の側面図である。
【図２】同じくロッカの施錠阻止機構を示す正面図である。
【図３】同じくロッカの施錠阻止機構を示す収容物を入れた状態の側面図である。
【図４】同じくロッカの施錠阻止機構を示す収容物を入れた状態の正面図である。
【図５】従来のロッカの施錠阻止機構の一形態を示す斜視図である。
【図６】同じく従来のロッカの施錠阻止機構を示す側面図である。
【図７】同じく従来のロッカの施錠阻止機構におけるキー抜き取り防止機構を示す断面図である。
【符号の説明】
【００４７】
１          ロッカ
２          収容室
３          受け板
５          施錠阻止板
８          引張コイルばね（ばね部材）
９          靴（収容物）
１２ａ      上面（支持面）
１３        錠装置
１４        デッドボルト
１７        前板部（前壁）
２０        前板部（内壁）
２１，２２  表示部
２３        ピン
【図１】
2008240333.tif 000003
【図２】
2008240333.tif 000004
【図３】
2008240333.tif 000005
【図４】
2008240333.tif 000006
【図５】
2008240333.tif 000007
【図６】
2008240333.tif 000008
【図７】
2008240333.tif 000009